(57)【要約】      （修正有）【課題】優れた透湿性および防水性、特につづら針部分の水密シール性が高く、施工の効率を低下させないか、または向上させる、ハウスラップ材を提供する。【解決手段】建築物の内部壁構造材１０２の外側面１０２ａに取り付けられる第１のシート層２と、第１のシート層の上に全面に亘って積層される第２のシート層４と、第１のシート層と前記第２のシート層とを接着する接着層３とを有するハウスラップ材１であり、ハウスラップ材の長手方向の少なくとも一方の側縁側近傍において、第１のシート層と第２のシート層との間に非接着部５が形成されており、非接着部において第２のシート層を第１のシート層と反対方向に折り曲げて第１のシート層を露出させ、露出した第１のシート層をつづら針６により建築物の内部壁構造材の外側面に固定可能とした。【選択図】図３
2014047481.tif 000002
【特許請求の範囲】
【請求項１】
内部壁構造材の外側面に取り付けられる第１のシート層と、
透湿・防水シート材からなり、前記第１のシート層上の全面に亘って積層される第２のシート層と、
前記第１のシート層と前記第２のシート層とを接着する接着層と、
を有するハウスラップ材であり、
該ハウスラップ材の長手方向の少なくとも一方の側縁側近傍において、前記第１のシート層と前記第２のシート層との間に非接着部が形成されており、該非接着部において前記第２のシート層を前記第１のシート層と反対方向に折り曲げて該第１のシート層を露出させ、露出した該第１のシート層をハウスラップ材の固定部材により前記内部壁構造材の外側面に固定可能としたことを特徴とするハウスラップ材。
【請求項２】
内部壁構造材の外側面に取り付けられる第１のシート層と、
透湿・防水シート材からなり、前記第１のシート層上の全面に亘って積層される第２のシート層と、
前記第１のシート層と前記第２のシート層とを接着する接着層と、
を有するハウスラップ材であり、
該ハウスラップ材の長手方向の少なくとも一方の側縁側近傍において、前記第１のシート層と前記第２のシート層との間に第１の非接着部が形成されており、前記第２のシート層の長手方向に切り込み部またはオーバーラップ部が設けられるとともに該切り込み部またはオーバーラップ部近傍の該第２のシート層の面と該面に対向する前記第１のシート層との間に第２の非接着部が設けられており、前記第１の非接着部および前記第２の非接着部において前記第２のシート層を前記第１のシート層と反対方向に折り曲げて該第１のシート層を露出させ、露出した該第１のシート層をハウスラップ材の固定部材により前記内部壁構造材の外側面に固定可能としたことを特徴とするハウスラップ材。
【請求項３】
前記第２のシート層は、前記非接着部と対向する位置に低粘着剤が塗布されていることを特徴とする請求項１または請求項２に記載のハウスラップ材。
【発明の詳細な説明】
【技術分野】
【０００１】
本発明は、ハウスラップ材に関する。より詳しくは、本発明は、建築構造材として、または構造材の部分補修材として使用可能なハウスラップ材、すなわち、建築用外装壁材に関する。
【背景技術】
【０００２】
ハウスラップ材は、住宅等の建築物の内装材と外壁材との間の内部壁構造材に設けられるシートであり、住宅等の建築物の壁、天井、床内部等の内壁まで雨水等が浸入することを抑制するとともに、住宅等の建築物の室内の湿気を外部に放出できるようにすることにより、内壁の結露を防止できるシートをいう。
各種透湿・防水シートがハウスラップ材として使われており、一例として、フラッシュ紡糸法により作製されたポリエチレン不織布は、ハウスラップ材として用いられている。
【０００３】
このようにして得られたフラッシュ紡糸法により作製された不織布は適度な孔径を有しており、水を遮断し、空気や水蒸気は通す性能を有し、優れた防水性と透湿性から広く普及している。
【０００４】
しかしながら、ハウスラップ材は、建築物の内部壁構造材に取り付けられた後、外壁ができ上がるまでの間は外部に面しており、建物の周囲に吹く風に煽られることになる。
【０００５】
このため、一般に使用されているフラッシュ紡糸された不織布が用いられているハウスラップ材は、施工時や施工途中に風による紙鳴り現象による騒音が発生し、施工する際に障害になり施工効率が低下するばかりか、周辺地域にも騒音による悪影響を与える。
【０００６】
この問題を解決するために、特開平７−２５８９５０号公報（特許文献１）には、エンボスの熱融着面積率が１５〜８０％、曲げ剛性値が０．１〜０．４ｇｆ／ｃｍ２  ／ｃｍ、空隙率が５０〜８０％であるフラッシュ紡糸法で製造された不織布からなるハウスラップ材が開示されている。
【０００７】
また、従来より、例えば木造住宅またはモルタル仕上げ住宅等の外装壁材の結露防止シート材として、透湿性に優れたポリオレフィンのプレクシフィラメント・フィルム−フィブリル・ストランドからなる不織布シート（タイベック：イー・アイ・デュポン社の登録商標）にラス網を取り付けたものが用いられている。
【０００８】
上記タイベックの内部壁構造材への取り付けには、例えば釘またはタッカー等の留付け具を用いているため、その留付け具によりタイベックに生じた穴から漏水するおそれがある。このため、タイベックの表面に樹脂のコート層を設け、このコート層により漏水を防止する試みがされている。
【０００９】
従来のコート層を有するタイベックでは、留付け具によりタイベックに生じた穴からの漏水は確実に防げる。しかしながら、その樹脂コート層によりタイベックに本来的に備わっている透湿性が損なわれてしまうという不都合があった。
【００１０】
上述の技術的課題を解決し、防水性と透湿性の両方に優れ、例えば結露防止シート材等に好適に使用可能な建築用外装壁材を提供することを目的として、特開平６−３３０５９９号公報（特許文献２）が提案されている。
【００１１】
特開平６−３３０５９９号公報（特許文献２）には、ポリオレフィンのプレクシフィラメント・フィルム−フィブリル・ストランドからなる不織布シートと、該不織布シートの少なくとも一方に設けられ且つ多数の細孔を有する表面コート層とを含む建築用外装壁材が開示されている。
【００１２】
また、特開２００１−３１１２２７号公報（特許文献３）には、外壁構造内および／または内壁と外壁構造との間に通気構造を設けることができ、それによって外気から内壁を遮熱し、漏水の侵入を防止でき、結露の問題も生じないという機能を有するとともに、施工が簡単で地域の気候に応じた厚みの通気層を有する外壁構造を形成できるハウスラップ材が開示されている。
【００１３】
この特開２００１−３１１２２７号公報（特許文献３）に開示されたハウスラップ材は、透湿・防水性シートの少なくとも片面全面にわたって、ほぼ均一に分布する、樹脂からなる凸部を備え、その凸部によって外壁材と透湿性シートとの間に０．３ｍｍ以上の通気構造を提供する。
【００１４】
さらに、防水シートとモルタルとの間に水が滞留することを回避できるようにすると共に、滞留した水が防水シートに形成された貫通孔から外壁下地材側に浸入しても、その浸入量を僅かな量に留めることができようにするための外壁防水構造が、特開２００９−１８００３２号公報（特許文献４）に提案されている。
【００１５】
この特開２００９−１８００３２号公報（特許文献４）に提案された外壁防水構造においては、外壁にラスモルタルの外壁材を施工するものであり、防水シートが外壁骨組み部材の外側に設置した外壁下地材を覆って取り付けられている。防水シートは、合成樹脂製の基材シートの外壁材側の面を不織布層によってコーティングすると共に、外壁下地材側の面を高分子吸収樹脂層によってコーティングした防水シート材料からなっており、釘部材の打込み圧力によって高分子吸収樹脂層を外壁下地材に密着させた状態で、外壁下地材に取り付けられる。
【先行技術文献】
【特許文献】
【００１６】
【特許文献１】特開平７−２５８９５０号公報
【特許文献２】特開平６−３３０５９９号公報
【特許文献３】特開２００１−３１１２２７号公報
【特許文献４】特開２００９−１８００３２号公報
【発明の概要】
【発明が解決しようとする課題】
【００１７】
しかしながら、特許文献１に開示されたハウスラップ材はフラッシュ紡糸法という特殊な製造方法で製造された不織布を用いているために、建築構造材として、または構造材の部分補修材としては、高価であるという経済上の問題がある。
【００１８】
また、特許文献２に開示されたハウスラップ材は、ポリオレフィンのプレクシフィラメント・フィルム−フィブリル・ストランドという特殊な素材からなる不織布シートを用いているために、建築構造材として、または構造材の部分補修材としては、高価であるという経済上の問題がある。
【００１９】
さらに、特許文献１〜４等に開示されたハウスラップ材は、内部壁構造材（断熱材、外部骨組み材、外壁下地材等）の外側面に取り付けられる。実際の旋工場所では、一般的にはハンマータッカーと呼ばれるつづら針打ち込み器具等でハウスラップ材を固定する。このため、つづら針がハウスラップ材を貫通し充分な水密シール性が期待できず、更にハウスラップ材の固定時に、ハウスラップ材の表面に作業者が触れたりすると、つづら針の穴が大きくなり、水密シール性が低下するという施工上の問題が生じる。
【００２０】
さらに、特許文献１〜４等に開示されたハウスラップ材においては、その水密シール性は、ハウスラップ材を内部壁構造材の外側面に取り付ける際に用いられるつづら針等（ハウスラップ材の固定部材）が理想的な状態で打ち込まれているときにのみ、発生している。しかし．実際の旋工場所では、一般的にはハンマータッカーと呼ばれるつづら針打ち込み器具等で傾斜面でハウスラップ材を固定する。このため、充分な水密シール性が期待できず、更にハウスラップ材の固定時に、ハウスラップ材の表面に作業者が触れたりすると、つづら針の穴が大きくなり、水密シール性が低下するという施工上の問題が生じる。
【００２１】
本発明の目的
本発明は、上述のような従来技術に付随する問題点を解決して、建築構造材として、または構造材の部分補修材として、安価であり経済上の問題が生じないハウスラップ材を提供することを目的とする。
【００２２】
さらに、本発明は、優れた透湿性および防水性、特につづら針部分の水密シール性が高く、そして施工の効率を低下させないか、または向上させる、ハウスラップ材を提供することを目的とする。
【課題を解決するための手段】
【００２３】
本発明においては、
内部壁構造材の外側面に取り付けられる第１のシート層と、
透湿・防水シート材からなり、前記第１のシート層上の全面に亘って積層される第２のシート層と、
前記第１のシート層と前記第２のシート層とを接着する接着層と、
を有するハウスラップ材であり、
該ハウスラップ材の長手方向の少なくとも一方の側縁側近傍において、前記第１のシート層と前記第２のシート層との間に非接着部が形成されており、該非接着部において前記第２のシート層を前記第１のシート層と反対方向に折り曲げて該第１のシート層を露出させ、露出した該第１のシート層をハウスラップ材の固定部材により前記内部壁構造材の外側面に固定可能としたことを特徴とするハウスラップ材により上記の目的を達成する。
【００２４】
さらに、本発明においては、
内部壁構造材の外側面に取り付けられる第１のシート層と、
透湿・防水シート材からなり、前記第１のシート層上の全面に亘って積層される第２のシート層と、
前記第１のシート層と前記第２のシート層とを接着する接着層と、
を有するハウスラップ材であり、
該ハウスラップ材の長手方向の少なくとも一方の側縁側近傍において、前記第１のシート層と前記第２のシート層との間に第１の非接着部が形成されており、前記第２のシート層の長手方向に切り込み部またはオーバーラップ部が設けられるとともに該切り込み部またはオーバーラップ部近傍の該第２のシート層の面と該面に対向する前記第１のシート層との間に第２の非接着部が設けられており、前記第１の非接着部および前記第２の非接着部において前記第２のシート層を前記第１のシート層と反対方向に折り曲げて該第１のシート層を露出させ、露出した該第１のシート層をハウスラップ材の固定部材により前記内部壁構造材の外側面に固定可能としたことを特徴とするハウスラップ材により、上記の目的を達成することもできる。
【００２５】
また、本発明においては、前記第２のシート層は、前記非接着部と対向する位置に低粘着剤が塗布されていてもよい。
【００２６】
本発明の第１のシート層は、固定部材（例えば、つづら針）により孔があけられるので、破れないように或る程度の強度が必要である。第１のシート層は、例えばポリプロピレン（ＰＰ）繊維、ポリエステル繊維（ＰＥＴ（ポリエチレンテレフタレート）繊維等）または天然繊維等を素材とした通気性を有する不織布シート材とすることができる。また、第１のシート層は、上記不織布シート材とメッシュとの積層シートとしてもよい。さらに、第１のシート層は、細かいメッシュを単独で用いることもできる。
【００２７】
このような素材を採用した第１のシート層は、つづら針のようなハウスラップ材の固定部材により、内部壁構造材の外側面にしっかりと固定することができる。
【００２８】
本発明の第２のシート層は、透湿・防水性を有するものを使用する。第２のシート層は、例えばポリエチレン、ポリプロピレン、ウレタン等からなる透湿・防水フィルム、例えばポリプロピレン（ＰＰ）繊維、ポリエステル繊維（ＰＥＴ（ポリエチレンテレフタレート）繊維等）または天然繊維等を素材とした通気性を有する不織布シート材とポリエチレン、ポリプロピレン、ウレタン等からなる透湿・防水フィルムとの積層シートとすることができる。または、第２のシート層は、目の細かいメッシュと上記透湿・防水フィルムとの積層シートを用いることができる。
【００２９】
このような素材を採用した第２のシート層は透湿・防水性を有し、ハウスラップ材に囲まれた建築物から発生する湿気を外部に逃がすとともに水分が外部からハウスラップ材を越えて建築物側に侵入することを防止できる。
【００３０】
第１のシート層および／または第２のシート層に用いるメッシュは経糸と緯糸からなる織物構造でもよく、または経糸と緯糸とを織らずに重ねて交点を熱融着または接着剤により接合した構造でもよい。いずれの場合にも、メッシュの形状が容易に変形しないようになっていることが好ましい。
【００３１】
第１のシート層と第２のシート層とを接合する接着層３には、対象物間を接合するために一般に用いられている接着剤、粘着剤、またはホットメルト剤を用いることが好ましい。
【００３２】
接着層３は、第１のシート層の上で、長手方向の少なくとも一方の側縁近傍を除き、全面に亘って形成されており、第２のシート層４の透湿・防水性を損ねないようにしていることが好ましい。
【発明の効果】
【００３３】
本発明に係るハウスラップ材は、内部壁構造材の外側面に取り付けられる第１のシート層と、前記第１のシート層の上に全面に亘って積層される第２のシート層と、前記第１のシート層と前記第２のシート層とを接着する接着層とを有している。
【００３４】
第１のシート層は、好ましくはポリエチレンやポリエステル等からなる不織布シートとしてもよい。第１のシート層は、上記不織布シートとメッシュとの積層シートとしてもよい。また、第１のシート層は、目の細かいメッシュを用いてもよい。
【００３５】
第２のシート層は透湿・防水シート材からなっている。
本発明に係るハウスラップ材は、建築構造材として、または構造材の部分補修材として、安価であり経済上の問題が生じない。
【００３６】
本発明に係るハウスラップ材においては、ハウスラップ材の長手方向の少なくとも一方の側縁側近傍において、前記第１のシート層と前記第２のシート層との間に非接着部が形成されており、該非接着部において前記第２のシート層を前記第１のシート層と反対方向に折り曲げて該第１のシート層を露出させ、露出した不織布シート材等からなる該第１のシート層をつづら針等のハウスラップ材の固定部材により前記内部壁構造材の外側面に固定可能としたので、第２のシート層につづら針等の穴を形成することなく第１のシート層を内部壁構造材に固定することができ、透湿性および防水性を高めることができる。
【００３７】
また、第２のシート層は透湿・防水シート材からなっており、優れた透湿性および防水性が保持される。
【００３８】
さらに、本発明においては、更に前記第２のシート層の長手方向に切り込み部またはオーバーラップ部が設けられるとともに該切り込み部またはオーバーラップ部近傍の該第２のシート層の面と該面に対向する前記第１のシート層との間に第２の非接着部が設けられていて、前記第１の非接着部および前記第２の非接着部において前記第２のシート層を前記第１のシート層と反対方向に折り曲げて該第１のシート層を露出させ、露出した該第１のシート層をハウスラップ材の固定部材により前記内部壁構造材の外側面に固定可能とすることもできる。このように構成することにより、第２のシート層につづら針等の穴を形成することなく第１のシート層を一層堅固に内部壁構造材の外側面に固定することができ、更に透湿性および防水性を高めることができる。
【００３９】
なお、第２のシート層に設けられる長手方向の切り込み部またはオーバーラップ部は、第２のシート層の中央部に設けられることが好ましい。
【００４０】
第２のシート層にオーバーラップ部を設けるには、第２のシート層を複数のシートとし、複数のシートの長手方向の端部を互いにオーバーラップさせる。そして、第２のシート層のオーバーラップ部近傍の面と該面に対向する第１のシート層との間に、第２の非接着部を設ける。
【００４１】
本発明に係るハウスラップ材によれば、上述のように、非接着部において前記第２のシート層を前記第１のシート層と反対方向に折り曲げて該第１のシート層を露出させ、露出した該第１のシート層をつづら針等のハウスラップ材の固定部材により内部壁構造材の外側面に固定する。その後、折り曲げていた防水シート材を元に戻し、つづら針表面をこの戻した防水シート材で覆う。このようにつづら針表面が防水シート材に覆われることにより、つづら針により生じた孔を塞ぐことができるので、例えつづら針の打ち損じや施工時の負荷によりつづら針により生じた孔ができたとしても、ハウスラップ材としての水密シール性を一層高めることができる。
【００４２】
また、第２のシート層が、非接着部と対向する位置に低粘着剤が塗布されていることにより、第２のシート層の非接着部と対向する幅部分が第１のシート層から捲れ上がり難くなり、つづら針が隠され続け、ハウスラップ材の水密シール性が一層高められる。
【図面の簡単な説明】
【００４３】
【図１】本発明に係るハウスラップ材の第１実施例の斜視図である。
【図２】第１実施例のハウスラップ材の要部拡大断面図である。
【図３】第１実施例のハウスラップ材を内部壁構造材の外側面に固定する手順を（ａ）から（ｃ）へと順に示す説明図である。
【図４】第１実施例のハウスラップ材をつづら針等で内部壁構造材の外側面に固定した状態を示す側面図である。
【図５】本発明に係るハウスラップ材の第２実施例を示す斜視図である。
【図６】本発明に係るハウスラップ材の第３実施例を示す斜視図である。
【発明を実施するための形態】
【００４４】
本発明の第１の実施例
以下、本発明に係るハウスラップ材の第１の実施例を図示した図面を参照し、本発明を詳細に説明する。
図２に示すように、本発明のハウスラップ材１は、少なくとも、建築物の内部壁構造材（断熱材、外部骨組み材、外壁下地材等）１０２の外側面１０２ａ（図４参照）に固定される第１のシート層２と、第１のシート層の上に全面に亘って積層される第２のシート層４と、第１のシート層２と第２のシート層４とを接着する接着層３とを有しており、少なくとも３層構造のシート体となっている。
【００４５】
ハウスラップ材１の長手方向の少なくとも一方の側縁側近傍においては、第１のシート層２と第２のシート層４との間は、接着層３を介在させることなく非接着部５としている。
【００４６】
ハウスラップ材１を構成する第１のシート層２は、例えばポリプロピレン（ＰＰ）繊維、ポリエステル繊維（ＰＥＴ（ポリエチレンテレフタレート）繊維等）または天然繊維等を素材とした通気性を有する不織布シート材が用いられている。または、第１のシート層２は、上記不織布シート材とメッシュ素材との積層シートとしてもよい。さらに、第１のシート層２は、目の細かいメッシュ素材を用いることもできる。
【００４７】
第１のシート層２に、このようなシート材を用いていることにより、ハウスラップ材１を建築物の内部壁構造材１０２の外側面１０２ａ上に固定する場合、強度があり、取り扱い易く、高い作業効率が保持される。また、ハウスラップ材１が内部壁構造材１０２の外側面１０２ａの表面に対して馴染んで変形することにより、ハウスラップ材１の外側面１０２ａへの密着状態が保持でき、ハウスラップ材１を内部壁構造材１０２へ容易に固定することができる。
【００４８】
更に、第１のシート層２を、上述したようなシート材を用いて形成することにより、建築物の屋内で生じて内壁を透過した湿気等を外部へと放出する良好な透湿特性を有するようにできる。
【００４９】
なお、第１のシート層２は、所定の機械的強度を有する範囲で薄厚のものを用いたり、ハウスラップ材１のコストを大幅にアップさせたり取り扱い性を低下させない範囲で厚みが大きなものを用いてもよい。
【００５０】
図２に示した本実施例においては、第１のシート層２として、単層構造のもので描いているが、前述したように複数層の構造のものであってもよい。このような複数層の構造の第１のシート層２にすることにより、第１のシート層２自体に良好な強度を持たせるようにしてもよい。
【００５１】
さらに、図示しないが、ハウスラップ材１の固定時に第１のシート層２の下面となり、内部壁構造材１０２に対向する面に、ハウスラップ材１の施工時の仮止め用粘着層を設けるようにしてもよい。
【００５２】
第２のシート層４を構成する透湿・防水シート材は、例えば、透湿・防水性を有する合成樹脂系シート（フィルム）等を用いて形成されることが望ましい。また、第２のシート層４は、透湿・防水紙等の透湿・防水加工された紙でもよい。
【００５３】
第２のシート層４としては、透湿・防水フィルムと不織布またはメッシュとを貼り合わせたものでもよい。不織布としては、第１のシート層２を構成する不織布シート材と同様に、例えばポリプロピレン繊維、ポリエステル繊維またはＰＥＴ繊維等を用いてもよい。
【００５４】
また、この第２のシート層４も、第１のシート層２と同様に、複数層構造のものとすることにより、第２のシート層４自体に予め良好な透湿・防水性と強度とを持たせることもできる。
【００５５】
第１のシート層２と第２のシート層４を接合する接着層３には、対象物間を接合するために一般に用いられている接着剤や粘着剤を用いることが好ましい。接着層３にホットメルト剤を用いてもよい。
【００５６】
図２に図示したように、接着層３は、第１のシート層２の上で、長手方向の一方の側縁近傍を除き、全面に亘って形成されており、第２のシート層４の透湿・防水性を損ねないようにしている。
【００５７】
本発明のハウスラップ材の形成
本発明のハウスラップ材１は次のようにして形成する。第１のシート層２の上に所定量の接着剤、粘着剤またはホットメルト剤が、この技術分野で広く採用されている方法によりハウスラップ材１の長手方向に供給される。なお、接着剤、粘着剤またはホットメルト剤は、第１のシート層２および第２のシート層４の長手方向の少なくとも一方の側縁側近傍には供給しないようにする。
【００５８】
その後、第２のシート層４が接着剤、粘着剤またはホットメルト剤からなる接着層３の上に積層された後に、第１のシート層２、第２のシート層４および接着剤、粘着剤またはホットメルト剤からなる接着層３に圧着等の適宜の処理が施され、第１のシート層２の上に積層された第２のシート層４が接着剤、粘着剤またはホットメルト剤からなる接着層３を介して接合される。なお、前述のように接着剤、粘着剤またはホットメルト剤が供給されなかった第１のシート層２および第２のシート層４の長手方向の側縁側近傍には、図２に図示するように非接着部５が形成される。
【００５９】
また、接合に際し、接着層３を形成している接着剤、粘着剤またはホットメルト剤の一部が、第１のシート層２や第２のシート層４を構成する不織布シート材の内部に浸潤して、繊維に絡みあって硬化させる。
【００６０】
本発明のハウスラップ材１においては、上述のように３層からなる長さＡ（図１参照：例えば、幅方向の長さ１ｍ）のハウスラップ材１の長手方向の少なくとも一方の側縁側近傍の第１のシート層２と第２のシート層４との間に、図２に示すように側縁に沿って非接着部５が形成されている。この非接着部５の幅は、約５ｃｍから１５ｃｍとすることが好ましい。
【００６１】
ハウスラップ材の建築物の内部壁構造材の外側面への固定
以上のように構成されたハウスラップ材１を、次の手順により建築物の内部壁構造材１０２の外側面１０２ａへ貼り付け、固定する。
【００６２】
上述のように、ハウスラップ材１は、所定幅を有する長尺のシート体であり、図示しないが、ロール状に巻回した状態で内部壁構造材１０２の外側面１０２ａの外側に供給することができる。
【００６３】
ハウスラップ材１は、各層が前述のような素材により形成されることから、現場対応にて内部壁構造材１０２の外側面１０２ａの上に貼り付け、カッター等により余剰部分を容易に切断することができる。
【００６４】
ハウスラップ材１の第２のシート層４は、一方の側縁において第１のシート層２と接着されていないので、図３（ａ）に図示するように、側縁から約５ｃｍから１５ｃｍの幅部分４ａを矢印Ｂで示すように折り返すことができ、第１のシート層２の側縁近傍の表面２ａを外部に露出させることができる。
【００６５】
なお、ハウスラップ材１の上面となる第２のシート層４の非接着部５に対応する部分の上面を、他の上面箇所と異なる色に着色して表示したり、非接着部５と接着層３との境界線と対応する位置に折り曲げ線７（図１に点線で示す）を線引き表示して、非接着部５の位置を示してもよい。
【００６６】
先ず、内部壁構造材１０２の下側から横手方向に、ハウスラップ材１を敷設していく。このとき、ハウスラップ材１の非接着部５側が下方に位置するようにする。
【００６７】
次いで、図３（ａ）に図示するように、第２のシート層４の非接着部５に対応する幅部分４ａを端部側から折り曲げ線７に沿って矢印Ｂ方向に折り曲げ、図３（ｂ）に図示するように、第１のシート層２の上面２ａを外部に露出させる。
【００６８】
露出させた第１のシート層２の上面２ａへ、つづら針６をハンマータッカー（図示せず）等で打ち込み、ハウスラップ材１と内部壁構造材１０２との接合を行う。
【００６９】
このとき、第１のシート層２の上面２ａに、つづら針６の打ち込み位置を表示する表示部８（図１参照）を予め所定間隔で表示しておき、この表示に従ってつづら針６を打ち込むようにすると、打ち込み作業が容易になり、好ましい。
【００７０】
ここで使用するつづら針６としては、一般的な工業用ステープルやステープラつづら針等が使用でき、特にその形状や材質について限定されるものではない。
【００７１】
また、つづら針６を用いた固定に使われる打ち込み器具としては、それぞれのつづら針６に対応するハンマータッカーやガンタッカー、さらに圧縮空気で打ち込むエアタッカー等が使用できる。
【００７２】
その後、第２のシート層４を矢印Ｃで示すように元に戻し、図３（ｃ）に図示するように、つづら針６の表面を元に戻した第２のシート層４の非接着部５に対応する幅部分４ａで覆う。
【００７３】
このようにつづら針６の表面が第２のシート層４で覆われることにより、つづら針６が隠され、たとえ第１のシート層２においてつづら針６の打ち込み孔と第１のシート層２との間に隙間が生ずることがあったとしても、第２のシート層４によりこの隙間を塞ぐことができるので、高度の水密シール性を保つことができる。
【００７４】
次いで、図４を参照して、上述した第１実施例のハウスラップ材をつづら針等で内部壁構造材１０２の外側面１０２ａに固定する手順を説明する。なお、図４においては、ハウスラップ材の長手方向の一方の側縁側近傍における第１のシート層２、第２のシート層４、接着層３、接着部５およびつづら針６は誇張して図示している。
【００７５】
図４に図示するように、建築物の内部壁構造材１０２の下段に固定したハウスラップ材１の上部に次のハウスラップ材１の下部の非接着部５に対応する幅部分４ａを重ね、前述したと同様な手順で新たに重ねたハウスラップ材１を建築物の内部壁構造材１０２に固定する。同様な手順を繰り返すことにより、複数のハウスラップ材１を建築物の内部壁構造材１０２に固定する。
【００７６】
なお、第２のシート層４が、非接着部と対向する位置に低粘着剤が塗布されていると、第２のシート層４の非接着部と対向する幅部分４ａが第１のシート層４から捲れ上がり難くなり、つづら針６の頭部が隠され続け、ハウスラップ材１の水密シール性が一層高められる。
【００７７】
外壁材の取り付け
以上のようにして、建築物の内部壁構造材１０２の外側面１０２ａに本発明のハウスラップ材１が固定される（図４参照）。ハウスラップ材１の外表面１ａ（図４の右側）に、外壁材（図示せず）が取り付けられる。
【００７８】
外壁材の取り付けは、従来技術と同様に行うことができる。例えば、ハウスラップ材１の外表面１ａ（図４の右側）の上に、細幅の角材を適宜の間隔をなして格子状に打ち付け、さらに格子の角材の上に合板を取り付け、合板の上にモルタルを塗る。さらに、ハウスラップ材１と外壁材との間に適宜断熱材を設けてもよい。
【００７９】
本発明の第２実施例
また、上述した実施例においては、ハウスラップ材１０の長手方向の側縁片側に非接着部を設けていたが、本発明の第２実施例として、図５に図示するように、ハウスラップ材１０の長手方向の側縁両側に非接着部１１、１２を設けてもよい。
【００８０】
本発明の第３実施例
図６は、本発明に係るハウスラップ材の第３実施例を示す斜視図である。図６に示されるハウスラップ材２０においては、ハウスラップ材２０の長手方向の側縁両側に非接着部２１、２２を設け、さらに、ハウスラップ材２０の長手方向中央部に長手方向Ａに沿って、このハウスラップ材２０の表面側を構成する第２のシート層４に切り込み部２３を設け、この切り込み部２３の両側にも第１のシート層２と第２のシート層４との間に非接着部２４を設けたものである。
【００８１】
このように、ハウスラップ材２０の中央部にもつづら針６による内部壁構造材１０２との接合部を設けることにより、ハウスラップ材２０を内部壁構造材１０２により強固に接合することができる。
【００８２】
なお、この切り込み部２３から非接触部２４に雨水等が入らないようにするには、切り込み部２３において第２のシート層４の両側の片を延在して重ね合わせ部２５を設け、ハウスラップ材２０を内部壁構造材１０２に取り付けた時に上方に位置する片２３ａを上側とし、下方に位置する片２３ｂを下側とすればよい。
【００８３】
本発明の第３実施例の変形
さらに、図示していないが、上記第３実施例の変形として、ハウスラップ材２０の長手方向の側縁両側に非接着部２１、２２を設け、さらに、ハウスラップ材２０の長手方向中央部に長手方向Ａに沿って、互いにオーバーラップした２枚のシートで第２のシート層４を構成し、このオーバーラップしたシートのオーバーラップ部の両側にも第１のシート層２と第２のシート層４との間に非接着部２４を設けてもよい。
【００８４】
この第３実施例の変形態様においては、ハウスラップ材２０の長手方向中央部で長手方向Ａに沿って形成された第２のシート層４のオーバーラップ部を外側に折り曲げ、第１のシート層２の上面２ａを外部に露出させる。
【００８５】
露出させた第１のシート層２の上面２ａへ、つづら針６をハンマータッカー（図示せず）等で打ち込み、ハウスラップ材１と内部壁構造材１０２との接合を行う。
その後、第２のシート層４を元に戻し、つづら針６の表面を元に戻した第２のシート層４のオーバーラップ部で覆う。
【００８６】
このようにつづら針６の表面が第２のシート層４のオーバーラップ部で覆われることにより、つづら針６が隠され、例え第１のシート層２においてつづら針６の打ち込み孔と第１のシート層２との間に隙間が生ずることがあったとしても、第２のシート層４によりこの隙間を塞ぐことができるので、高度の水密シール性を保つことができる。
【００８７】
上述した第２実施例および第３実施例等に示すように、非接着部１１、１２、２１、２２及び２４を複数とすることにより、つづら針６による打ち込み位置を増やすことができるとともに、いずれのつづら針打ち込み位置においても、つづら針６を防水性を有する第２のシート層４により覆い、つづら針６により第１のシート層２に生じた孔（つづら針６の打ち込み孔と第１のシート層２との間にできた隙間）を塞ぐことができ、水密シール性を高めることができる。
【符号の説明】
【００８８】
１、１０、２０  ハウスラップ材
１ａ  ハウスラップ材の外表面
２  第１のシート層
２ａ  第１のシート層の上面
３  接着層
４  第２のシート層
４ａ  第２のシート層の非接着部に対応する幅部分
５、２１、２２、２４  非接着部
６  つづら針（固定部材）
７  折り曲げ線
８  表示部
２３  切り込み部
２５  重ね合わせ部
３４  低粘着剤
１０２  建築物の内部壁構造材
１０２ａ  内部壁構造材の外側面
【図１】
2014047481.tif 000003
【図２】
2014047481.tif 000004
【図３】
2014047481.tif 000005
【図４】
2014047481.tif 000006
【図５】
2014047481.tif 000007
【図６】
2014047481.tif 000008